(57)【要約】  【課題】  訓練者の慣れによる調節筋の訓練効果の低下を防止することができる視力回復訓練装置を提供する。  【解決手段】  目の結像調節機能の訓練を行う視力回復訓練装置であって、視力訓練用画像を表示する表示手段３と、訓練者の目位置と前記訓練者の目位置から所定の距離にある点との間で、表示手段３を一定速度で往復移動させる移動手段４と、前記訓練者の目位置と表示手段３の位置との光学距離に応じて、前記視力訓練用画像が前記訓練者の網膜上に、一定のサイズで投影されるように前記訓練用画像の表示サイズを変化させる表示制御手段５と、を備え、移動手段４が、表示手段３を往復移動させる距離を変化させるものである。【選択図】  図１
2007029659.tif 000002
【特許請求の範囲】
【請求項１】
目の結像調節機能の訓練を行う視力回復訓練装置であって、
視力訓練用画像を表示する表示手段と、
訓練者の目位置と前記訓練者の目位置から所定の距離にある点との間で、前記表示手段を一定速度で往復移動させる移動手段と、
前記訓練者の目位置と前記表示手段の位置との光学距離に応じて、前記視力訓練用画像が前記訓練者の網膜上に、一定のサイズで投影されるように前記訓練用画像の表示サイズを変化させる表示制御手段と、を備え、
前記移動手段は、前記表示手段を往復移動させる距離を変化させる視力回復訓練装置。
【請求項２】
前記移動手段は、前記表示手段を往復移動させる速度を変化させる請求項１記載の視力回復訓練装置。
【請求項３】
前記表示制御手段は、前記視力訓練用画像のコントラストを変化させて表示させる請求項１記載の視力回復訓練装置。
【請求項４】
前記表示制御手段は、前記視力訓練用画像の表示を停止する請求項１記載の視力回復訓練装置。
【発明の詳細な説明】
【技術分野】
【０００１】
本発明は、目の結像調節機能の訓練を行う視力回復訓練装置に関するものである。
【背景技術】
【０００２】
視力の低下は、目の調節筋（毛様体筋）の調節緊張や衰弱によって目の結像調節機能が低下することが一因と考えられ、この筋肉を訓練することによって、視力の回復を期待することができる。この方法は、毛様体筋を訓練によって活性化し、遠近調節機能を活発にすることで視力回復を図るものである。
【０００３】
そこで、調節筋の働きを活発にすることにより視力回復効果を向上させようとする視力回復装置が提案されている（例えば特許文献１参照）。この視力回復装置は、マークが表示された注視板を往復移動させて、マークを訓練者に対して近接・離間させるものである。訓練者がこのマークを注視すると、目の焦点が近距離と遠距離の間を連続して移動するので、調節筋が効率よく訓練される。
【特許文献１】特開平６−３３９５０１号公報
【発明の開示】
【発明が解決しようとする課題】
【０００４】
しかしながら、この視力回復装置は、注視板を連続的にある距離間を一定に往復運動させるため、訓練者は、訓練自体に慣れてしまう。訓練者は、単調な往復運動からの予測と、実際に見えるマークの大きさからの予測で、目の結像調節ができるようになり、移動するマークへの焦点合わせをする調節筋をあまり働かせなくても済むようになってしまう。つまり、訓練に慣れてしまうことで、訓練の効果が低減する場合がある。
【０００５】
本発明は、上記従来の事情に鑑みてなされたものであって、訓練者の慣れによる調節筋の訓練効果の低下を防止することができる視力回復訓練装置を提供することを目的とする。
【課題を解決するための手段】
【０００６】
本発明の視力回復訓練装置は、目の結像調節機能の訓練を行う視力回復訓練装置であって、視力訓練用画像を表示する表示手段と、訓練者の目位置と前記訓練者の目位置から所定の距離にある点との間で、前記表示手段を一定速度で往復移動させる移動手段と、前記訓練者の目位置と前記表示手段の位置との光学距離に応じて、前記視力訓練用画像が前記訓練者の網膜上に、一定のサイズで投影されるように前記訓練用画像の表示サイズを変化させる表示制御手段と、を備え、前記移動手段が、前記表示手段を往復移動させる距離を変化させるものである。
【０００７】
上記構成によれば、表示手段が往復移動する距離を変化させることで一時的に目の調節機能に刺激を与えることにより、訓練者は、予測による視力訓練用画像への焦点合わせができなくなる為、訓練者の慣れによる調節筋の訓練効果の低下を防止することができる。
【０００８】
また、本発明の視力回復訓練装置は、前記移動手段が、前記表示手段を往復移動させる速度を変化させるものである。また、本発明の視力回復訓練装置は、前記表示制御手段が、前記視力訓練用画像のコントラストを変化させて表示させるものである。さらに、本発明の視力回復訓練装置は、前記表示制御手段が、前記視力訓練用画像の表示を停止するものである。上記構成によれば、さらに多くの刺激を与えることができ、訓練に慣れてくることを低減することができる。
【発明の効果】
【０００９】
本発明の視力回復訓練装置によれば、表示手段が往復移動する距離を変化させることで一時的に目の調節機能に刺激を与えることにより、訓練者は、予測による視力訓練用画像への焦点合わせができなくなる為、訓練者の慣れによる調節筋の訓練効果の低下を防止することができる。
【発明を実施するための最良の形態】
【００１０】
以下、本発明の実施の形態について、図面を用いて説明する。
【００１１】
図１は本発明の実施の形態の視力回復訓練装置の概略構成を示す斜視図である。この視力回復訓練装置は、筐体１の端面に設けられた接眼部２からの訓練者の視線方向に対して垂直に配置される表示手段３と、訓練者の目位置と前記訓練者の目位置から所定の距離にある点との間で、表示手段３を適宜な速さで往復移動させる移動手段４と、表示手段３に対して、訓練者の目位置と同じ側、つまり接眼部２と同じ側に配置された表示制御手段５を備えており、移動手段４はベース部６に配置されている。
【００１２】
筐体１は、接眼部２を除いて全体を覆って外光が入らないようになっており、訓練者は接眼部２から内部を覗けるようになっている。また、表示手段３は、表示制御手段５から投影された視力訓練用画像を表示するスクリーン状のものであり、訓練者の視軸に対して垂直に交差するように、ベース部６に配置された移動手段４に設置される。表示手段３は、例えば布や樹脂繊維により縫製されるものである。移動手段４は、訓練者の目位置とこの目位置から所定の距離にある点との間で、表示手段３を一定速度で往復移動させるものであるが、訓練中に少なくとも一回は、表示手段３を往復移動させる距離を変化させる。
【００１３】
図２は本実施の形態の視力回復訓練装置の内部構成を示す図であり、（ａ）及び（ｂ）は断面図、（ｃ）は表示手段３の正面図である。ベース部６には、移動手段４及び表示制御手段５を制御する制御装置７が配置されている。
【００１４】
移動手段４は、プーリＡ４１とプーリＢ４２間に掛けられたベルト４３と、プーリＡ４１を駆動する移動駆動源４４と、移動駆動源４４を制御する制御装置７から構成され、訓練者の目位置と表示手段３の位置との光学距離を変化させる。移動駆動源４４を駆動することにより、ベルト４３上に設置された表示手段３を、訓練者の視軸に対して垂直に平行移動させることができる。
【００１５】
表示制御手段５は、表示手段３に対して接眼部２と同じ側に配置されているが、訓練者の視軸上にあることが望ましい。表示制御手段５は、例えば光源５１とレンズ５２と視力訓練用画像スライドフィルム５３と、表示手段３への焦点合わせをするレンズ５２を移動させる焦点駆動源５４から構成され、上記の光学距離に応じて、視力訓練用画像が訓練者の目の網膜上に一定のサイズで投影されるように視力訓練用画像の表示サイズを変化させる投影手段である。この構成により、網膜上に結像する図形の大きさが一定となるので、調節筋を効率よく訓練できる。光源５１からの光は、視力訓練用画像のスライドフィルム５３を通り、レンズ５２の光学的特性により、表示手段３に接眼部２から表示手段３の距離に比例した大きさの視力訓練用画像を光学的に表示させる。なお、視力訓練用画像のスライドフィルム５３は、視力訓練用画像のスリットの入った板状の部材でも構わない。また、レンズ５２は、複数枚で構成されていてもよい。視力訓練用画像のスライドフィルム５３とレンズ５２の前後関係は、図示の例と逆でも構わない。
【００１６】
図３は視力回復訓練装置の動作を制御する制御装置７の概略構成を示すブロック図である。同図の（ａ）は、表示制御手段５により表示手段３に視力訓練用画像を投影する本実施形態の視力回復訓練装置の制御系を示し、（ｂ）は、他の実施形態としての、表示制御手段７４により液晶パネル等の表示手段１３に視力訓練用画像を表示させる視力回復訓練装置の制御系を示している。
【００１７】
図３（ａ）の制御系は、操作部８と接続された主制御部７１と、移動手段４の移動駆動源４４を制御する移動駆動制御部７２と、表示制御手段５の焦点駆動源５４を制御する焦点駆動制御部７３を備えている。
【００１８】
主制御部７１は、視力回復訓練装置全体の動作を制御するもので、操作部８の指示に基づき、移動駆動制御部７２及び焦点駆動制御部７３を制御する。移動駆動制御部７２は、移動駆動源４４に対して駆動信号を出力し、表示手段３の移動を制御する。その際、操作部８の設定に応じた情報を主制御部７１から取得し、表示手段３の移動範囲及び移動速度を制御する。
【００１９】
焦点駆動制御部７３は、表示制御手段５の焦点駆動源５４を駆動し、表示手段３に視力訓練用画像の焦点を合わせる。その際、訓練者の目位置と表示手段３との間の光学距離に比例してレンズ５２を移動し、焦点合わせをする。訓練者の目の位置と表示手段３との間の光学距離に関する情報は、主制御部７１から取得する。
【００２０】
操作部８は、訓練者が操作して、視力回復訓練装置の動作態様等を設定するためのものであり、例えば、表示手段３の移動範囲及び移動速度の設定、視力訓練用画像の種類の設定等を行う。
【００２１】
図３（ｂ）の制御系は、操作部８と接続された主制御部７１と、移動手段４の移動駆動源４４を制御する移動駆動制御部７２と、液晶パネル等の表示手段１３への視力訓練用画像の表示制御を行う表示制御手段７４を備えている。
【００２２】
次に、上記のように構成された視力回復訓練装置の動作について説明する。図４及び図５は視力回復訓練装置の動作を示す図であり、それぞれ（ａ）及び（ｂ）は断面図、（ｃ）は表示手段３の正面図である。
【００２３】
図１に示す視力回復訓練装置を用いて視力回復訓練を行う場合、訓練者は、筐体１の接眼部２から内部を覗き、表示手段３に表示される視力訓練用画像を注視する。視力訓練用画像は、移動手段４の移動に応じて、その表示位置、すなわち、訓練者の目位置から移動手段４までの光学距離が変化するため、訓練者は、表示位置が変化する視力訓練用画像を見ることになる。したがって、訓練者は、表示位置の変化に対応して、目の焦点を合わせるべく努力することにより、毛様体筋等の目の結像調節機能を稼動することになり、結像調節機能の向上が期待できる。なお、訓練者の目位置と、訓練者に最も近い位置に表示された視力訓練用画像との距離は、正常視力者の近点距離程度の距離とするのが好ましい。また、訓練者の目の位置と、訓練者に最も遠い位置に表示された視力訓練用画像との距離は、正常視力者の遠点距離程度の距離とするのが好ましい。
【００２４】
図４は訓練者に最も近い位置に表示手段３を移動させた場合を示している。このとき、表示手段３に表示される視力訓練用画像は、表示制御手段５に近づいているため、図４の（ｃ）のように小さく表示される。一方、図５は、訓練者に最も遠い位置に表示手段３を移動させた場合を示している。このとき、表示手段３に表示される視力訓練用画像は、表示制御手段５から遠い位置にあるため、図５の（ｃ）のように大きく表示される。これらの表示される視力訓練用画像の大きさは、接眼部２と表示手段３との光学距離に比例している。このように、視力訓練用画像を訓練者の目位置からの光学距離に比例した大きさで、互いに相似の形状とすると、訓練者から見える視力訓練用画像の大きさ及び形状が実質的に変化しないので、目の結像調節機能の制御が簡単になる。
【００２５】
訓練の際、主制御部７１の制御により、表示手段３を往復移動させる距離を変化させる。すなわち、訓練中に少なくとも１回は不規則に異なる距離間で往復移動させる。従来のように、規則的で連続的な往復移動による訓練を続けると、表示手段３の移動の予測ができ、目の調節機能に慣れを生じさせて、移動するマークへの焦点合わせをする調節筋の働きを少なくて済むようにしてしまい、訓練効果が低下するおそれがある。しかし、本実施形態では、この往復移動の慣れに対して、移動の予測がつかないように、訓練中に少なくとも１回は不規則に異なる距離間で移動させることで、一時的に目の調節機能に刺激を与えて、訓練に慣れてくることを低減することができる。なお、不規則に異なる距離間とは、通常の往復する距離間とは異なる任意の距離間のことであり、予測がつきにくいことが望ましい。
【００２６】
また、訓練中に少なくとも１回は、移動手段４により、表示手段３を往復移動させる速度を変化させてもよい。これにより、一時的にさらに多くの刺激を与えることができ、訓練に慣れてくることを低減することができる。なお、往復移動の速度の変化は、訓練の通常の速度から速くなっても遅くなってもよく、往復移動の一定速度から異なる一定速度になっても構わない。また、一定速度でなくてもよく、一時的に往復移動を停止するようにしても構わない。
【００２７】
また、訓練中に少なくとも１回は、視力訓練用画像の表示コントラストを変化させて往復移動させてもよい。これによっても、一時的にさらに多くの刺激を与えることができ、訓練に慣れてくることを低減することができる。なお、視力訓練用画像の表示コントラストを変えるには、例えば、表示制御手段５の光源５１の光量を変えればよい。また、視力訓練用画像の表示コントラストは、強くしても弱くしても元のコントラストから変化が生じるようであればよい。
【００２８】
また、訓練中に少なくとも１回は、視力訓練用画像の表示を停止して往復移動させてもよい。これによっても、一時的にさらに多くの刺激を与えることができ、訓練に慣れてくることを低減することができる。なお、視力訓練用画像の表示の停止は、例えば、表示制御手段５の光源５１を消せばよい。
さらに、近視、老視などの視力調節力の程度に会わせて訓練する事が有効である。
【産業上の利用可能性】
【００２９】
本発明は、表示手段が往復移動する距離を変化させることで一時的に目の調節機能に刺激を与えることにより、訓練者は、予測による視力訓練用画像への焦点合わせができなくなる為、訓練者の慣れによる調節筋の訓練効果の低下を防止することができる効果を有し、目の結像調節機能の訓練を行う視力回復訓練装置等に有用である。
【図面の簡単な説明】
【００３０】
【図１】本発明の実施の形態の視力回復訓練装置の概略構成を示す斜視図
【図２】本発明の実施の形態の視力回復訓練装置の内部構成を示す図
【図３】本発明の実施の形態の視力回復訓練装置の制御装置の概略構成を示すブロック図
【図４】本発明の実施の形態の視力回復訓練装置の動作を示す図
【図５】本発明の実施の形態の視力回復訓練装置の動作を示す図
【符号の説明】
【００３１】
１  筐体
２  接眼部
３，１３  表示手段
４  移動手段
５  表示制御手段
６  ベース部
７  制御装置
８  操作部
４１  プーリＡ
４２  プーリＢ
４３  ベルト
４４  移動駆動源
５１  光源
５２  レンズ
５３  視力訓練用画像スライドフィルム
５４  焦点駆動源
７１  主制御部
７２  移動駆動制御部
７３  焦点駆動制御部
７４  表示制御手段
【図１】
2007029659.tif 000003
【図２】
2007029659.tif 000004
【図３】
2007029659.tif 000005
【図４】
2007029659.tif 000006
【図５】
2007029659.tif 000007